(57)【要約】【課題】熟練者でなくても簡単に使用可能なジョイントの抜取り作業に好適なジョイント抜取り冶具を提供すること。【解決手段】  ジョイント（２）を挟んで保持するための一対の挟持部材（３）と、  挟持部材（３）によってジョイント（２）を挟んで固定するための一対又は二対の固定用ボルト（４）と、挟持部材（３）に設けられ、ジョイント（２）のモータ側に位置する端面に当接する鍔部（５）と、挟持部材（３）に設けられた一対の離間用ボルト（６）とを備え、ジョイント（２）が挟持された状態で、一対の離間用ボルト（６）を同時に又は交互に回すことにより挟持部材（３）をモータから離間させることによってジョイント（２）からモータのシャフトを引き抜くことを特徴とする。【選択図】図１
0003211548.tif 000002
【実用新案登録請求の範囲】
【請求項１】
モータのシャフト（７）と前記モータと連結されて回転駆動される物品が備えるシャフト（８）とを連結するジョイント（２）から、前記モータのシャフト（７）を引き抜くためのジョイント抜取り冶具（１）であって、該冶具は、
前記ジョイント（２）を挟んで保持するための一対の挟持部材（３）と、
前記挟持部材（３）によって前記ジョイント（２）を挟んで固定するための一対又は二対の固定用ボルト（４）と、
前記挟持部材（３）に設けられ、前記ジョイント（２）の前記モータ側に位置する端面に当接する一対の鍔部（５）と、
前記挟持部材（３）に設けられた一対の離間用ボルト（６）とを備え、
前記ジョイント（２）が挟持された状態で、前記一対の離間用ボルト（６）を同時に又は交互に回すことにより前記挟持部材（３）を前記モータから離間させることによって前記ジョイント（２）から前記モータのシャフト（７）を引き抜くことを特徴とするジョイント抜取り冶具。
【考案の詳細な説明】
【技術分野】
【０００１】
本考案は、撹拌機の羽根を交換するメンテナンスを行う際に、羽根のシャフトとその羽根を回すためのモータのシャフトとを連結しているジョイントからモータ側のシャフトを抜き取るための冶具に関するものである。
【背景技術】
【０００２】
攪拌機の羽根についているシャフトは、ジョイントと呼ばれる連結用部材を用いてモータのシャフトと連結されるが、羽根を交換するメンテナンスを行う際に、モータのシャフトの錆などのためにモータのシャフトとジョイント間の摩擦が大きくなり、モータのシャフトがジョイントから抜けなくなることがあった。
従来は、このような場合に、ジョイントを切断して二つに割ることによりモータのシャフトをジョイントから抜いていた。
しかしながら、かかる場合にジョイントを切断することとなると、その手間がかかるとともに、モータのシャフトを傷付けるおそれがあるという問題がある。
【０００３】
また、このような場合に、ジョイント（カップリングとも言う。）に加振器をセットして連続的に強制振動を加えると共に、モータのシャフトに加速度計をセットし、モータのシャフトに伝わる加速度（周波数）を計測しつつ、ジョイントを加熱し、所定のタイミングで専用の抜取冶具を用いてジョイントをモータのシャフトから抜き取るシステムも提案されている（下記特許文献１参照。ただし本出願時点で未公開）。
所定のタイミングとは、ジョイントを加熱することによる熱膨張によりシャフトとジョイントの間にできる隙間のために、モータのシャフトに伝わる加速度が減少（伝達されない周波数帯の発生）するタイミングである。
すなわち、従来から行われていたジョイントへの加振と加熱による抜き取りの際に、不十分な加熱状態で抜き取りが行われることを防止し、かつ、加熱のし過ぎやタイミングを逃すことを防ぐためのシステムである。
【先行技術文献】
【特許文献】
【０００４】
【特許文献１】特願２０１６−０３３８４９号明細書
【考案の概要】
【考案が解決しようとする課題】
【０００５】
しかしながら、かかるシステムは、従来の熟練作業者の経験と勘に頼っていたジョイントの抜き取り作業を可視化し、誰にでも確実にできるようにしたものであるが、ジョイントの抜き取りのための冶具が熟練者でなければ使えないものであれば、適切なタイミングであっても簡単には抜き取ることはできない。
本考案は上述のような問題に鑑み為されたものであり、熟練者でなくても簡単に使用可能なジョイントの抜取り作業に好適なジョイント抜取り冶具を提供することを目的とする。
【課題を解決するための手段】
【０００６】
上記課題を解決するために、本考案に係るジョイント抜取り冶具は、モータのシャフト（７）と上記モータと連結されて回転駆動される物品が備えるシャフト（８）とを連結するジョイント（２）から、上記モータのシャフト（７）を引き抜くためのジョイント抜取り冶具（１）であって、該冶具は、上記ジョイント（２）を挟んで保持するための一対の挟持部材（３）と、上記挟持部材（３）によって上記ジョイント（２）を挟んで固定するための一対又は二対の固定用ボルト（４）と、上記挟持部材（３）に設けられ、上記ジョイント（２）の上記モータ側に位置する端面に当接する一対の鍔部（５）と、上記挟持部材（３）に設けられた一対の離間用ボルト（６）とを備え、上記ジョイント（２）が挟持された状態で、上記一対の離間用ボルト（６）を同時に又は交互に回すことにより上記挟持部材（３）を上記モータから離間させることによって上記ジョイント（２）から上記モータのシャフト（７）を引き抜くことを特徴とする。
【考案の効果】
【０００７】
本考案のジョイント抜取り冶具は、ジョイントを挟んで離間用ボルトを回すだけであるため、熟練者でなくても簡単にジョイントの抜き取りができるという利点がある。
【図面の簡単な説明】
【０００８】
【図１】本考案に係るジョイント抜取り冶具の斜視図である。
【図２】本考案に係るジョイント抜取り冶具を組み立てた状態の平面図（Ａ）及び側面図（Ｂ）である。
【図３】本考案に係るジョイント抜取り冶具の使用方法を説明するための図である。
【考案を実施するための形態】
【０００９】
以下、本考案に係るジョイント抜取り冶具の実施形態について、図面を参照しつつ詳細に説明する。
図１は、本考案に係るジョイント抜取り冶具１の斜視図である。この冶具は、ジョイント２を挟んで保持するための一対の挟持部材３と、挟持部材３によってジョイント２を挟んで固定するための一対又は二対の固定用ボルト４と、挟持部材３に設けられ、ジョイント２のモータ側に位置する端面に当接する一対の鍔部５と、挟持部材３に設けられた一対の離間用ボルト６とを備えている。挟持部材３としては、例えば、鋼材を削り出すことによって作ることができる。なお、言うまでもないが、ジョイント２はジョイント抜取り冶具の構成要件ではない。
【００１０】
図２は、本考案に係るジョイント抜取り冶具を組み立てた状態の平面図（Ａ）及び側面図（Ｂ）である。組み立てた状態とは、ジョイント２（ここでは不図示）を挟持部材３で挟んで、固定用ボルト４で締め付けた状態のことであり、このとき、ジョイント２のモータ側に位置する端面が鍔部５に当接するようにする。各部分の説明は図１においてしているので、ここでは省略する。
【００１１】
図３は、本考案に係るジョイント抜取り冶具の使用方法を説明するための図である。
図３（Ａ）は、抜き取る対象であるジョイント２をジョイント抜取り冶具１で挟んで固定した状態を示している。
（Ａ）の状態で、一対の離間用ボルト６を同時に又は交互に少しずつ回していくと、やがて離間用ボルト６の先端がモータのケースに当接する。
ここからさらに離間用ボルト６を回していくと、離間用ボルト６はそれ以上前には進まなくなるが、その代わりに挟持部材３が手前（図の左方向）に移動してくる。そのときに、挟持部材３の鍔部５がジョイント２の端面を押すので、図面の左側方向の力がジョイント２の端面に働き、ジョイント２からモータのシャフト７が抜ける。
この図において、ジョイント２によって連結されているシャフト８は、モータによって回転駆動される物品が備えるシャフトである。モータによって回転駆動される物品とは、例えば撹拌機の羽根等が考えられるが、これに限る物ではない。
【符号の説明】
【００１２】
１    ジョイント抜取り冶具
２    ジョイント
３    挟持部材
４    固定用ボルト
５    鍔部
６    離間用ボルト
７    モータのシャフト
８    羽根のシャフト
【図１】
0003211548.tif 000003
【図２】
0003211548.tif 000004
【図３】
0003211548.tif 000005